(57)【要約】【課題】コンポジット信号、Ｓコンポジット信号、コンポーネント信号のうち少なくとも２つの信号を送信或いは受信することのできるケーブルを選択的に接続することができる映像信号用端子を提供する。【解決手段】ケース１２１と、接地部１２２と、第１接続部１２３と、第２接続部１２４とを有し、第１接続部１２３は、レセプタクル１２に挿入されるプラグのピンと当接する当接部１２３１と、当接部１２３１と一体的に形成され、弾性を有するアーム部１２３２と、アーム部１２３２の先端に形成された接触部１２３３と、アーム部１２３２に取り付けられ絶縁性を備えた押圧部材１２３４とを有しており、第１接続部１２３の接触部１２３３の近傍には、第１切替接続部１２３５と第２切替接続部１２３６とを有している。【選択図】図３
2008277133.tif 000002
【特許請求の範囲】
【請求項１】
プラグが挿入されるレセプタクルを有する映像信号用端子であって、
第１信号が送信される第１信号送信部と、
第２信号が送信される第２信号送信部と、
第３信号が送信される第３信号送信部とを有し、
前記レセプタクルが前記第３信号送信部に信号が送信されていないときは、前記第１信号送信部と電気的に接続されており、前記第３信号に信号が送信されているときは、前記第２信号送信部と電気的に接続される第１切替接続部を備えていることを特徴とする映像信号用端子。
【請求項２】
前記レセプタクルは前記第１信号が送信される本体部を備えたピンを有する第１プラグ又は前記第２信号が送信される本体部と前記本体部の先端の中央に前記第３信号が送信される突出部を備えたピンを有する第２プラグのいずれかが挿入されるものであり、
前記第３信号送信部は前記突出部と当接するものであり、
前記第１切替接続部は、導電性を有する前記本体部と当接する当接部と、
前記当接部と一体に形成され、弾性変形するレバー部と、
前記レバー部の先端に形成され、前記第１信号送信部又は前記第２信号送信部と接触する接触部と、
絶縁性を備え前記レバー部に取り付けられた押圧部とを有しており、
前記第１プラグが挿入されているときは、前記第１切替接続部の前記接触部が前記第１信号送信部と電気的に接触されており、前記第２プラグが挿入されているときは、前記押圧部が前記突出部に押され、前記レバー部が弾性変形し前記接触部が前記第２信号送信部と電気的に接触されていることを特徴とする請求項１に記載の映像信号用端子。
【請求項３】
前記第１信号はコンポジット信号であり、
前記第２信号は輝度信号又は色信号のいずれか一方であり、
前記第３信号は輝度信号又は色信号のうち第２信号と異なる信号であることを特徴とする請求項１又は請求項２に記載の映像用信号端子。
【請求項４】
前記第４の信号を送信する第４信号送信部と、
前記第５の信号を送信する第５信号送信部とを有し、
前記レセプタクルが前記第１信号送信部及び前記第２信号送信部のいずれにも信号が送信されていない場合は、前記第４信号送信部と電気的に接続しており、前記第１信号送信部又は前記第２信号送信部のいずれか一方に信号が送信されているときは前記プラグにて弾性変形されて前記第５信号送信部と電気的に接続する第２切替接続部を備えていることを特徴とする請求項２に記載の映像信号用端子。
【請求項５】
前記レセプタクルは前記第４信号が送信される本体部を備えたピンを有する第１プラグ又は前記第５信号が送信される本体部と、前記本体部の先端の中央に前記第１信号が送信される突出部を備えたピンを有する第２プラグ又は前記第５の信号が送信される本体部と、前記本体部の先端より突出し前記第２信号が送信される中段部と、前記中段部の先端より突出し前記第３信号が送信される先端部を有する第３プラグのいずれが挿入されるものであり、
前記第３信号送信部は前記先端部と当接するものであり、
前記第１切替接続部は、前記突出部又は中段部と当接する第１当接部と、
前記第１当接部と一体に形成され、弾性変形する第１レバー部と、
前記第１レバー部の先端に形成され、前記第１信号送信部又は前記第２信号送信部と接触する第１接触部と、
絶縁性を備え前記第１レバー部に取り付けられた第１押圧部とを有しており、
前記第２切替接続部は前記本体部と当接する第２当接部と、
前記第２当接部と一体に形成され、弾性変形する第２レバー部と、
前記第２レバー部の先端に形成され、前記第４信号送信部又は前記第５信号送信部と接触する第２接触部と、
絶縁性を備え前記第２レバー部に取り付けられた第２押圧部とを有しており、
前記第１プラグが挿入されているとき、前記第１切替接続部は前記第１接触部が前記第１信号送信部と電気的に接触されており、
前記第２プラグが挿入されているとき、前記第１切替接続部は前記第１押圧部が前記先端部に押され、前記第１レバー部が弾性変形し前記第１接触部が前記第２信号送信部に電気的に接触されているとともに、前記第２切替接続部は前記第４信号送信部と電気的に背接続されており、
前記第３プラグが挿入されているとき、前記第１切替接続部は前記第１押圧部が前記中段部に押され、前記第１レバー部が弾性変形し前記第１接触部が前記第２信号送信部に電気的に接触されているとともに、前記第２切替接続部は前記第２押圧部が前記先端部に押されることで、前記第２レバー部が弾性変形し前記第２接触部が前記第５信号送信部と電気的に接続されていることを特徴とする請求項４に記載の映像信号用端子。
【請求項６】
前記第１信号は色信号であり、
前記第２信号はＣｂ信号又はＣｒ信号のいずれか一方であり、
前記第３信号はＣｂ信号又はＣｒ信号のうち前記第２信号と異なるほうの信号であり、
前記第４信号はコンポジット信号であり、
前記第５信号は輝度信号であることを特徴とする請求項４又は請求項５に記載の映像信号用端子。
【発明の詳細な説明】
【技術分野】
【０００１】
本発明は、映像機器間で映像信号を送受信するためのケーブルの先端に取り付けられる着脱可能な映像信号用端子に関するものである。
【背景技術】
【０００２】
ＡＶ機器同士を接続して映像信号及び（又は）音声信号を送受信する場合、ケーブルを用いて接続されることが多い。前記映像機器と前記ケーブルとを接続するための様々なＡＶ端子が知られている。ＡＶ端子として、たとえば、コンポジット端子、Ｓ端子、コンポーネント端子等がよく用いられている。コンポジット端子は主にＶＨＳ、Ｓ端子はＳ−ＶＶＨＳ映像に用いられている。また、３つに分かれたコンポーネント端子は、さらに高機能のＡＶ機器の接続に用いられている。
【０００３】
これらのＡＶ端子は前記ケーブルの端部に取り付けられたプラグと、前記ＡＶ機器に取り付けられたレセプタクルを備えており、前記レセプタクルに前記プラグを挿入することで接続される。前記コンポジット端子のプラグは中心に突設された１本のピンを備えた、いわゆる、ピンプラグ形状で形成されている。一方、Ｓ端子は４本の細いピンが非点対称な位置より突設されたプラグ形状を有するものである。
【０００４】
また、コンポーネント信号はＹ（輝度信号）端子、Ｃｒ（色差信号）端子、Ｃｂ（色差信号）端子の３個の独立した端子を備えたものである。
【０００５】
現在、ＡＶ機器にはこれらのＡＶ端子が複数搭載されており、複数の外部機器と接続することができるようになっている。ＡＶ機器が接続されている端子の種類を自動的に判別して、接続されている端子より送られてくる信号に応じた動作を行うようにするものがある。（特開平１１−３１３２５３号公報、特開平８−７９６３６号公報参照）。
【特許文献１】特開平１１−３１３２５３号参照
【特許文献２】特開平８−７９６３６号参照
【発明の開示】
【発明が解決しようとする課題】
【０００６】
現在のＡＶ機器では、１つの入力或いは出力系統に対してコンポジット端子とＳ端子両方を備えるものが多く、いずれか一方を選択してケーブルが接続される。この場合、ケーブルが接続されない端子は無駄になるばかりでなく、端子の設置面積が大きくなり、ＡＶ機器の小型化を妨げている。。
【０００７】
また、コンポーネント端子を備える場合、上述したようにコンポーネント端子は入力或いは出力１系統につきＹ端子、Ｃｂ端子、Ｃｒ端子の３個の端子が必要であり、それだけ、大きい設置場所が必要である。
【０００８】
通常、ＡＶ機器では、設置場所やコストの関係上、コンポーネント端子の設置数は少ない。このようなＡＶ機器に複数の外部ＡＶ機器をコンポーネント端子で接続しようとしても、コンポーネント端子の数が足りない場合があり、その場合は画質の劣るコンポジット端子を用いて接続しなくてはならない。
【０００９】
そこで本発明は、コンポジット信号、Ｓコンポジット信号、コンポーネント信号のうち少なくとも２つの信号を送信或いは受信することのできるケーブルを選択的に接続することができる映像信号用端子を提供することを目的とする。
【課題を解決するための手段】
【００１０】
上記目的を達成するため本発明は、プラグが挿入されるレセプタクルを有する映像信号用端子であって、第１信号が送信される第１信号送信部と、第２信号が送信される第２信号送信部と、第３信号が送信される第３信号送信部とを有し、前記第３信号送信部に信号が送信されていない場合は、前記第１信号送信部と電気的に接続しており、前記第３信号に信号が送信されている場合は前記プラグにて弾性変形されて前記第２信号と電気的に接続する第１切替接続部を備えていることを特徴とする。
【００１１】
この構成によると、送信される信号が異なるケーブルに取り付けられたプラグを１つのレセプタクルで接続することが可能である。
【００１２】
このことは、接続されるＡＶ機器ごとに異なる種類の映像信号用接続端子を用意しなくてもよく、それだけ、効率がよい。
【００１３】
上記構成において、前記レセプタクルは前記第１信号が送信される本体部を備えたピンを有するプラグ又は前記第２信号が送信される本体部と、前記本体部の先端の中央に前記第３信号が送信される突出部を備えたピンを有するプラグのいずれかが挿入されるものであり、前記第３信号送信部は前記突出部と当接するものであり、前記第１切替接続部は、導電性を有する前記本体部と当接する当接部と、前記当接部と一体に形成され、弾性変形するレバー部と、前記レバー部の先端に形成され、前記第１信号送信部又は前記第２信号送信部と接触する接触部と、絶縁性を備え前記レバー部に取り付けられた押圧部とを有しており、前記押圧部が前記突出部に押されることで、前記レバー部が弾性変形し前記接触部が前記第２信号送信部に電気的に接触されるものであってもよい。
【００１４】
この構成によると、プラグの形状によって機械的に信号を切り替えることができ、切替のための回路を構成しなくてもよい。
【００１５】
上記構成において、前記第１信号はコンポジット信号であり、前記第２信号は輝度信号又は色信号のいずれか一方であり、前記第３信号は輝度信号又は色信号のうち第２信号と異なる信号であるものをあげることができる。
【００１６】
上記構成において、前記第４の信号を送信する第４信号送信部と、前記第５の信号を送信する第５信号送信部とを有し、前記第１信号送信部及び前記第２信号送信部のいずれにも信号が送信されていない場合は、前記第４信号送信部と電気的に接続しており、前記第１信号送信部又は前記第２信号送信部のいずれか一方に信号が送信されているときは前記プラグにて弾性変形されて前記第５信号送信部と電気的に接続する第２切替接続部を備えているものであってもよい。
【００１７】
この構成によると、より多くの信号種類を扱うケーブルも１つのレセプタクルで接続することができる。
【００１８】
上記構成において、前記レセプタクルは前記第４信号が送信される本体部を備えたピンを有する第１プラグ又は前記第５信号が送信される本体部と、前記本体部の先端の中央に前記第１信号が送信される突出部を備えたピンを有する第２プラグ又は前記第５の信号が送信される本体部と、前記本体部の先端より突出し前記第２信号が送信される中段部と、前記中段部の先端より突出し前記第３信号が送信される先端部を有する第３プラグのいずれが挿入されるものであり、前記第３信号送信部は前記先端部と当接するものであり、前記第１切替接続部は、前記突出部又は中段部と当接する第１当接部と、前記第１当接部と一体に形成され、弾性変形する第１レバー部と、前記第１レバー部の先端に形成され、前記第１信号送信部又は前記第２信号送信部と接触する第１接触部と、絶縁性を備え前記第１レバー部に取り付けられた第１押圧部とを有しており、前記第２切替接続部は前記本体部と当接する第２当接部と、前記第２当接部と一体に形成され、弾性変形する第２レバー部と、前記第２レバー部の先端に形成され、前記第４信号送信部又は前記第５信号送信部と接触する第２接触部と、絶縁性を備え前記第２レバー部に取り付けられた第２押圧部とを有しており、前記第１プラグが挿入されているとき、前記第１切替接続部は前記第１接触部が前記第１信号送信部と電気的に接触されており、前記第２プラグが挿入されているとき、前記第１切替接続部は前記第１押圧部が前記先端部に押され、前記第１レバー部が弾性変形し前記第１接触部が前記第２信号送信部に電気的に接触されているとともに、前記第２切替接続部は前記第４信号送信部と電気的に背接続されており、前記第３プラグが挿入されているとき、前記第１切替接続部は前記第１押圧部が前記中段部に押され、前記第１レバー部が弾性変形し前記第１接触部が前記第２信号送信部に電気的に接触されているとともに、前記第２切替接続部は前記第２押圧部が前記先端部に押されることで、前記第２レバー部が弾性変形し前記第２接触部が前記第５信号送信部と電気的に接続されているものであってもよい。
【００１９】
上記構成において、前記第１信号は色信号であり、前記第２信号はＣｂ信号又はＣｒ信号のいずれか一方であり、前記第３信号はＣｂ信号又はＣｒ信号のうち前記第２信号と異なるほうの信号であり、前記第４信号はコンポジット信号であり、前記第５信号は輝度信号であってもよい。
【発明の効果】
【００２０】
本発明によると、コンポジット信号、Ｓコンポジット信号、コンポーネント信号のうち少なくとも２つの信号を送信或いは受信することのできるケーブルを選択的に接続することができる映像信号用端子を提供することができる。
【発明を実施するための最良の形態】
【００２１】
以下に本発明の実施形態を図面を参照して説明する。図１は本発明にかかる映像信号用端子の一例を示す図である。図１に示す映像信号用端子はそれには限定されないがここでは入力端子である。映像信号用端子１は異なるＡＶ機器同士をケーブル２を介して接続するときに、ケーブルとＡＶ機器とを接続するのに用いられる端子である。図１に示すＡＶ機器はそれには限定されないが、ここではＤＶＤレコーダ３である。
【００２２】
映像信号用端子１はケーブル２に取り付けられたプラグ１１を挿入することができ、ＤＶＤレコーダ３に取り付けられるレセプタクル１２を有している。映像信号用端子１は色信号Ｃと輝度信号Ｙとを個別の信号線を用いて送信するケーブル２をＤＶＤレコーダ３に接続するときに用いられるものである。
【００２３】
図２に図１に示す映像信号用端子のプラグの断面図を示す。図２に示すように、プラグ１１は樹脂で形成された中空の外装部材１１１と、外装部材１１１に挿入され一部が外装部材１１１より突出した導電性を有する円筒部１１２と、外装部材１１１に挿入され一部が外装部材１１１より突出した円筒部１１２と同一中心軸を有する本体ピン１１３と、本体ピン１１３よりも小径で形成されており本体ピン１１３の先端部より突出した突出ピン１１４とを有している。
【００２４】
本体ピン１１３は従来用いられているピンプラグのピンと同じ径で形成されている。本体ピン１１３は突出ピン１１４よりも大径の円筒形状を有して形成されている。突出ピン１１４は絶縁部材１１５を介して本体ピン１１３の内部に配置されている。本体ピン１１３は絶縁部材１１６を介して円筒部１１２の内部に配置されている。本体ピン１１３、突出ピン１１４及び円筒部１１２は図示を省略しているが、外装部材１１１にずれないように固定されている。
【００２５】
図２に示すようにケーブル２は輝度信号Ｙ用の第１信号線２１と、色信号Ｃ用の第２信号線２２と、接地線２３とを有している。これらの電線は外周部を絶縁性を有する被覆部材で覆われており、３本の電線が並んで配置されているものであってもよく、３本の電線がまとめられてひとつの被覆部材に覆われているものであってもよい。
【００２６】
図２に示すように、接地線２３は円筒部１１２と電気的に接続されている。また、第１信号線２１は本体ピン１１３と、第２信号線２２は突出ピン１１４とそれぞれ電気的に接続されている。これらの接続は、それには限定されないがここでははんだ付けにて行われるものである。はんだ付け以外にも、固定及び電気信号の搬送が確実に行えるものを広く採用することが可能である。
【００２７】
次に、本発明にかかる映像信号用端子のレセプタクルについて説明する。図３は一本のピンを備えたコンポジット信号用プラグを挿入するときのレセプタクルの断面図であり、図４は輝度信号及び色信号を送信するプラグを挿入するときの断面図である。図３、図４に示すレセプタクル１２は、中空の直方体形状のケース１２１と、円筒形状の接地部１２２と、ケース１２１内部に配置された第１接続部１２３と、第２接続部１２４とを有している。ケース１２１はＤＶＤレコーダ３に固定されている。接地部１２２はＤＶＤレコーダ３の外部に露出した円筒形状の部材であり、中空部がケース１２１の内部へとつながる開口部と接続している。また、接地部１２２の内壁部は絶縁性を有する材料で形成されている。
【００２８】
第１接続部１２３は、レセプタクル１２に挿入されるプラグのピンと当接する当接部１２３１と、当接部１２３１と一体的に形成され、弾性を有するアーム部１２３２と、アーム部１２３２の先端に形成された接触部１２３３と、アーム部１２３２に取り付けられ絶縁性を備えた押圧部材１２３４とを有している。また、第１接続部１２３の接触部１２３３の近傍には、第１切替接続部１２３５と第２切替接続部１２３６とを有している。
【００２９】
第１切替接続部１２３５はコンポジット信号ＣＹ信号が入力される接続部であり、第２切替接続部１２３６は輝度信号Ｙが入力される接続部である。また、第２接続部１２４は色信号Ｃが接続される接続部である。
【００３０】
以下に、本発明にかかる映像信号用端子の接続について説明する。図３に示すように、従来用いられているピンプラグ９は、映像信号としてコンポジット信号ＣＹを送信するものであり、コンポジット信号ＣＹが流れる信号線が接続されたピン９１と、接地線が接続された円筒部９２とを有している。ピン９１と円筒部９２とは非接触且つ絶縁された状態で配置されている。
【００３１】
図３に示すように、第１接続部１２３のアーム部１２３２は内側に倒れており、先端の接触部１２３３は第１切替接続部１２３５と当接している。この状態でピンプラグ９を挿入すると、ピン９１が第１接続部１２３の当接部１２３１と、円筒部９２が接地部１２２と接触してプラグ９とレセプタクル１２が接続される。このようにしてピン９１より、コンポジット信号ＣＹが第１切替接続部１２３５に送られる。
【００３２】
また、図４に示すように、輝度信号Ｙと色信号Ｃを独立して送信できるプラグ１１をレセプタクル１２に挿入すると、プラグ１１の突出ピン１１４が第２接続部１２４と当接するとともに、第１接続部１２３の押圧部材１２３４を押して、アーム部１２３２を弾性変形させて、接触部１２３３を第２切替接続部１２３６に当接させる。それと同時に本体ピン１１３が第１接続部の当接部１２３１と当接する。このように、接触部１２３３が第２切替接続部１２３６と当接することで、本体ピン１１３より送られる輝度信号Ｙを第２切替接続部１２３６に、突出ピン１１４より送られる色信号Ｃを第２接続部１２４にそれぞれ伝達させることができる。
【００３３】
以上のように、コンポジット信号ＣＹを送信するピンプラグ９と輝度信号Ｙ及び色信号Ｃを別途送信するプラグ１１を自動的に選択して接続することができる。
【００３４】
本発明にかかる映像信号用端子の他の例を図面を参照して説明する。図５は本発明にかかる映像信号用端子の他の例の側面図であり、図６は図５に示す映像信号用端子のプラグの断面図である。
【００３５】
映像信号用端子４はケーブル５に取り付けられたプラグ４１を接続することができ、ＤＶＤレコーダ３に取り付けられたレセプタクル４２を有している。映像信号用端子４は色差信号Ｃｂ、Ｃｒと輝度信号Ｙとを個別の信号線を用いて送信するケーブル５をＤＶＤレコーダ３に接続するときに用いられるものである。
【００３６】
図５、６に示すように、プラグ４１は樹脂で形成された中空の外装部材４１１と、外装部材４１１に挿入され一部が外装部材４１１より突出した導電性を有する円筒部４１２と、外装部材４１１に挿入され一部が外装部材４１１より突出した円筒部４１２と同一中心軸を有する本体ピン４１３と、本体ピン４１３よりも小径で形成されており本体ピン４１３の先端部より突出した円筒形状の中段ピン４１４と、中段ピン４１４よりもさらに小径で形成され、中段ピン４１４の先端部より突出した先端ピン４１５とを有している。
【００３７】
本体ピン４１３は図２に示すプラグ１１の本体ピン１１３と同一の径を有しており、本体ピン４１３は中段ピン４１４よりも大径の円筒形状を有して形成されている。中段ピン４１４は図２に示すプラグ１１の突出ピン１１４と同一の径を有しており、中段ピン４１４は絶縁部材４１６を介して本体ピン４１３の内部に配置されている。中段ピン４１４は先端ピン４１５よりも大径の円筒形状有して形成されており、先端ピン４１５は絶縁部材４１７を介して第２ピン４１５の内部に配置されている。そして、本体ピン４１３は絶縁部材４１８を介して円筒部４１２の内部に配置されている。本体ピン４１３、中段ピン４１４、先端ピン４１５及び円筒部４１２は図示を省略しているが、外装部材４１１にずれないように固定されている。
【００３８】
図６に示すようにケーブル５は輝度信号Ｙ用の第１信号線５１と、色差信号Ｃｂ用の第２信号線５２と、色差信号Ｃｒ用の第３信号線５３と、接地線５４とを有している。これらの電線は外周部を絶縁性を有する被覆部材で覆われており、４本の電線が並んで配置されているものであってもよく、４本の電線がまとめられてひとつの被覆部材に覆われているものであってもよい。
【００３９】
図６に示すように、接地線５４は円筒部４１２と電気的に接続されている。また、第１信号線５１は本体ピン４１３と、第２信号線５２は中段ピン４１４と、第３信号線５３は先端ピン４１５とそれぞれ電気的に接続されている。これらの接続は、それには限定されないがここでははんだ付けにて行われるものである。はんだ付け以外にも、固定及び電気信号の搬送が確実に行えるものを広く採用することが可能である。
【００４０】
次に、本発明にかかる映像信号用端子のレセプタクルについて説明する。図７は一本のピンを備えたコンポジット信号用プラグを挿入するときのレセプタクルの断面図であり、図８は輝度信号及び色信号を別々に送信するプラグを挿入するときのレセプタクルの断面図であり、図９は輝度信号及び２個の色差信号を別々に送信するプラグを挿入するときのレセプタクルの断面図である。
【００４１】
図７、図８、図９に示すレセプタクル４２は、中空の直方体形状のケース４２１と、円筒形状の接地部４２２と、ケース４２１内部に配置された第１接続部４２３と、第２接続部４２４と、第３接続部４２５とを有している。ケース４２１はＤＶＤレコーダ３に固定されている。接地部４２２はＤＶＤレコーダ３の外部に露出した円筒形状の部材であり、中空部がケース６２１の内部へとつながる開口部と接続している。また、接地部４２２の内壁部は絶縁性を有する材料で形成されている。
【００４２】
第１接続部４２３は、レセプタクル４２に挿入されるプラグのピンと当接する当接部４２３１と、当接部４２３１と一体的に形成され、弾性を有するアーム部４２３２と、アーム部４２３２の先端に形成された接触部４２３３と、アーム部４２３２に取り付けられ絶縁性を備えた押圧部材４２３４とを有している。また、第１接続部４２３の接触部４２３３の近傍には、第１切替接続部４２３５と第２切替接続部４２３６とを有している。第１切替接続部４２３５はコンポジット信号ＣＹが入力される接続部であり、第２切替接続部４２３６は輝度信号Ｙが入力される接続部である。
【００４３】
第２接続部４２４は、レセプタクル４２に挿入されるプラグのピンと当接する当接部４２４１と、当接部４２４１と一体的に形成され、弾性を有するアーム部４２４２と、アーム部４２４２の先端に形成された接触部４２４３と、アーム部４２４２に取り付けられ絶縁性を備えた押圧部材４２４４とを有している。また、第２接続部４２４の接触部４２４３の近傍には、第３切替接続部４２４５と第４切替接続部４２４６とを有している。第３切替接続部４２４５は色信号Ｃが入力される接続部であり、第４切替接続部４２４６は色差信号Ｃｂが入力される接続部である。第３接続部４２５は色差信号Ｃｒが入力される接続部である。
【００４４】
図７に示すように、第１接続部４２３のアーム部４２３２は内側に倒れており、先端の接触部４２３３は第１切替接続部４２３５と当接している。この状態でピンプラグ９を挿入すると、ピン９１が第１接続部４２３の当接部４２３１と、円筒部９２が接地部４２２と接触してプラグ９とレセプタクル４２が接続される。このようにしてピン９１より、コンポジット信号ＣＹが第１切替接続部４２３５に送られる。
【００４５】
図８に示すように、輝度信号Ｙと色信号Ｃを独立して送信できるプラグ１１をレセプタクル４２に挿入すると、プラグ１１の突出ピン１１４が第２接続部４２４の当接部４２４１と当接するこのとき、第２接続部４２４のアーム部４２４２は内側に倒れており、先端の接触部４２４３は第３切替接続部４２４５と接触している。また、突出ピン１１４は、第１接続部４２３の押圧部材４２３４を押しており、アーム部４２３２を弾性変形させて、接触部４２３３を第２切替接続部４２３６に接触させる。それと同時に本体ピン１１３が第１接続部の当接部４２３１と当接する。
【００４６】
このように、第１接続部４２３の接触部４２３３が第２切替接続部４２３６と接触しており、第２接続部４２４の接触部４２４３が第３切替接続部４２４５と接触していることで、本体ピン１１３より送られる輝度信号Ｙは第２切替接続部４２３６に、突出ピン１１４より送られる色信号Ｃは第３切替接続部４２４５にそれぞれ送信される。
【００４７】
図９に示すように、輝度信号Ｙと２個の色差信号Ｃｂ、Ｃｒを独立して送信できるプラグ４１をレセプタクル４２に挿入すると、プラグ４１の先端ピン４１５が第３接続部４２５と接触するとともに、第２接続部４２４の押圧部材４２４４を押して、アーム部４２４２を弾性変形させる。これにより接触部４２４３が第４切替接続部４２４６と当接する。この状態で中段ピン４１４が当接部４２４１と当接する。
【００４８】
また同時に、中段ピン４１４が、第１接続部４２３の押圧部材４２３４を押して、アーム部４２３２を弾性変形させて、接触部４２３３を第２切替接続部４２３６に当接させる。それと同時に本体ピン４１３が第１接続部４２３の当接部４２３１と当接する。
【００４９】
このようにして、本体ピン４１３より送られる輝度信号Ｙは第２切替接続部４２３６に、中段ピン４１４より送られる色差信号Ｃｂは第４切替接続部４２４６に、先端ピン４１５より送られる色差信号Ｃｒは第３接続部４２５にそれぞれ送信される。
【００５０】
上述した映像信号用端子４は、入力端子であったが、出力端子でも同様である。このように、コンポジット信号用のプラグ９、輝度信号Ｙ及び色信号Ｃを個別に送信することができるプラグ１１及び輝度信号Ｙ及び２個の色差信号Ｃｂ，Ｃｒをそれぞれ個別に送信することができるプラグ４１を挿入することができるレセプタクル４２を備えることで、映像信号用端子４は、接続されるケーブルの種類を限定しないので、汎用性が高い。
【００５１】
以上、発明の実施形態を具体的に説明したが、本発明は上記実施形態に限定するものではなく、その要旨を逸脱しない範囲で種々変更可能である。
【産業上の利用可能性】
【００５２】
本発明は、ＡＶ機器同士を接続するときに、ＡＶ機器と接続ケーブルとを接続するための接続装置に適用することが可能である。
【図面の簡単な説明】
【００５３】
【図１】本発明にかかる映像信号用端子の一例を示す図である。
【図２】図１に示す映像信号用端子のプラグの断面図である。
【図３】一本のピンを備えたコンポジット信号用プラグを挿入するときのレセプタクルの断面図である。
【図４】輝度信号及び色信号を送信するプラグを挿入するときの断面図である。
【図５】本発明にかかる映像信号用端子の他の例の側面図である。
【図６】図５に示す映像信号用端子のプラグの断面図である。
【図７】一本のピンを備えたコンポジット信号用プラグを挿入するときのレセプタクルの断面図である。
【図８】輝度信号及び色信号を別々に送信するプラグを挿入するときのレセプタクルの断面図である。
【図９】輝度信号及び２個の色差信号を別々に送信するプラグを挿入するときのレセプタクルの断面図である。
【符号の説明】
【００５４】
１  映像信号用端子
１１  プラグ
１２  レセプタクル
２  ケーブル
３  ＤＶＤレコーダ
４  映像信号用端子
４１  プラグ
４２  レセプタクル
５  ケーブル
【図１】
2008277133.tif 000003
【図２】
2008277133.tif 000004
【図３】
2008277133.tif 000005
【図４】
2008277133.tif 000006
【図５】
2008277133.tif 000007
【図６】
2008277133.tif 000008
【図７】
2008277133.tif 000009
【図８】
2008277133.tif 000010
【図９】
2008277133.tif 000011